(57)【要約】【課題】  合成する相手の写真画像に対して、どのような位置関係で、手書き原稿が合成されるのかを、紙に手書き原稿を描く時点で、確認しながら描くことができる画像合成装置、その制御方法およびプログラムを提供することを目的とする。【解決手段】  参照画像が印刷されている参照画像領域と、参照画像と合成する手書き画像であってユーザが手書きすべき手書き画像を記入する手書き領域とを具備し、参照画像領域のサイズと手書き領域のサイズとがほぼ同一であり、また、参照画像領域の近傍に手書き領域を具備する原稿シートを印刷する原稿シート印刷手段と、手書き領域に記入されている手書き画像を読み取り、手書き画像データを出力する手書き画像読取手段と、参照画像領域に印刷されている参照画像に対応する写真画像データと手書き画像読取手段が出力した手書き画像データとを合成する合成手段とを有する。【選択図】  図８
2006352794.tif 000002
【特許請求の範囲】
【請求項１】
参照画像が印刷されている参照画像領域と、上記参照画像と合成する手書き画像であってユーザが手書きすべき手書き画像を記入する手書き領域とを具備し、上記参照画像領域のサイズと上記手書き領域のサイズとがほぼ同一であり、また、上記参照画像領域の近傍に上記手書き領域を具備する原稿シートを印刷する原稿シート印刷手段と；
上記手書き領域に記入されている手書き画像を読み取り、手書き画像データを出力する手書き画像読取手段と；
上記参照画像領域に印刷されている参照画像に対応する写真画像データと、上記手書き画像読取手段が出力した手書き画像データとを合成する合成手段と；
を有することを特徴とする画像処理装置。
【請求項２】
請求項１において、
上記原稿シート印刷手段は、上記手書き領域と上記参照画像とに、互いにほぼ同一形状の枠線を付加して印刷する手段であることを特徴とする画像合成装置。
【請求項３】
請求項２において、
上記原稿シート印刷手段は、上記参照画像に参照画像枠線を印刷し、上記手書き領域に手書き領域枠線を印刷し、上記参照画像枠線を分割する目盛線を印刷し、上記手書き領域枠線の位置であって、上記参照画像枠線における目盛線の位置と同一の位置に、目盛線を印刷する手段であることを特徴とする画像合成装置。
【請求項４】
請求項３において、
上記原稿シート印刷手段は、上記参照画像枠線の上記目盛線を含む格子線を、上記参照画像に印刷する手段であることを特徴とする画像合成装置。
【請求項５】
請求項１〜請求項４のいずれか１項において、
上記合成手段は、上記参照画像に対応する写真画像と、上記手書き画像とを重ね合わせるように合成する手段であることを特徴とする画像合成装置。
【請求項６】
請求項１〜請求項４のいずれか１項において、
上記合成手段は、上記参照画像に対応する写真画像と、上記手書き画像とを突き合わせるように並べて合成する手段であることを特徴とする画像合成装置。
【請求項７】
請求項６において、
出力画像上における上記写真画像と上記手書き画像との位置関係とほぼ等しい位置関係で、上記原稿シートにおいて、上記参照画像領域と上記手書き領域とが配置されていることを特徴とする画像合成装置。
【請求項８】
請求項１〜請求項７のいずれか１項において、
上記原稿シート印刷手段は、通常の印刷時とは異なる画質で、上記参照画像領域に上記参照画像を印刷する手段であることを特徴とする画像合成装置。
【請求項９】
参照画像が印刷されている参照画像領域と、上記参照画像と合成する手書き画像であってユーザが手書きすべき手書き画像を記入する手書き領域とを具備し、上記参照画像領域のサイズと上記手書き領域のサイズとがほぼ同一であり、また、上記参照画像領域の近傍に上記手書き領域を具備する原稿シートを印刷する原稿シート印刷工程と；
上記手書き領域に記入されている手書き画像を読み取り、手書き画像データを出力する手書き画像読取工程と；
上記参照画像領域に印刷されている参照画像に対応する写真画像データと、上記手書き画像読取工程が出力した手書き画像データとを合成する合成工程と；
を有することを特徴とする画像処理装置の制御方法。
【請求項１０】
参照画像が印刷されている参照画像領域と、上記参照画像と合成する手書き画像であってユーザが手書きすべき手書き画像を記入する手書き領域とを具備し、上記参照画像領域のサイズと上記手書き領域のサイズとがほぼ同一であり、また、上記参照画像領域の近傍に上記手書き領域を具備する原稿シートを印刷する原稿シート印刷手順と；
上記手書き領域に記入されている手書き画像を読み取り、手書き画像データを出力する手書き画像読取手順と；
上記参照画像領域に印刷されている参照画像に対応する写真画像データと、上記手書き画像読取手順が出力した手書き画像データとを合成する合成手順と；
を画像処理装置に実行させるプログラム。
【請求項１１】
参照画像が印刷されている参照画像領域と；
上記参照画像と合成する手書き画像であってユーザが手書きすべき手書き画像を記入する手書き領域と；
を有し、上記参照画像領域のサイズと上記手書き領域のサイズとがほぼ同一であり、また、上記参照画像領域の近傍に上記手書き領域が印刷されている原稿シート。
【請求項１２】
参照画像領域に、参照画像を印刷する参照画像印刷手段と；
上記参照画像と合成する手書き画像であってユーザが手書きすべき手書き画像を記入する手書き領域を印刷する手書き領域印刷手段と；
を有し、上記参照画像領域のサイズと上記手書き領域のサイズとをほぼ同一とし、また、上記参照画像領域の近傍に上記手書き領域を印刷することを特徴とする原稿シート印刷装置。
【発明の詳細な説明】
【技術分野】
【０００１】
本発明は、画像入力手段から入力した写真画像データと、読み取った手書き原稿のデータとを合成する画像合成装置に関する。
【背景技術】
【０００２】
近年、デジタルカメラやカラースキャナ等、写真画像入力装置、カラープリンタ等の画像出力装置の普及と高性能化とに伴い、デジタル写真画像について、様々な使われ方が提案されている。
【０００３】
つまり、写真撮影し、そのまま印刷媒体に印刷するだけではなく、様々に加工し、編集し、利用することが多い。たとえばメッセージを描き込んで手紙として送り、タイトルやイラストを描き込んで、アルバムに貼るという使われ方が提案されている。
【０００４】
このように、画像入力装置から入力した写真画像に、メッセージやイラストを手書きで追加する場合、入力した写真画像を液晶パネル等の表示装置に表示し、表示装置に設けられているタッチパネル入力装置を介して、手書き画像を入力し、写真画像と手書き画像とを合成する方法が提案されている（たとえば、特許文献１参照）。
【０００５】
また、入力した写真画像とは別の紙に書いた手書き原稿を読取装置が読み取り、写真画像と合成する方法が提案されている（たとえば、特許文献２参照）。
【特許文献１】特開昭６３−０４０９３３号広報
【特許文献２】特開平０９−１３９８３２号公報
【発明の開示】
【発明が解決しようとする課題】
【０００６】
しかし、写真画像に対して、たとえば被写体として映っている人物以外の背景部分を選んで位置を合わせて、メッセージやイラストを描く場合、従来方法においては、次の問題がある。
【０００７】
上記タッチパネル方式では、写真画像を見ながら、この写真画像の上に手書き文字、イラストを、直接描くことができるが、表示装置やタッチパネル入力機構を設ける必要があり、このハードウエアコストが高く、また、手書き入力の画像解像度は、表示装置やタッチパネルの分解能によって規定されるので、表現力に制約があるという問題がある。
【０００８】
一方、上記原稿読取方式では、手軽で簡単に手書き原稿を作成することができ、筆記用具の種類によっては、さまざまな表現が可能であるという利点があるが、写真画像と別の原稿シートに手書き原稿を描くので、写真画像に対して、手書き原稿が、どのような位置関係で重なるのかを、原稿作成時には、正確に確認できないという問題がある。
【０００９】
本発明は、合成する相手の写真画像に対して、どのような位置関係で、手書き原稿が合成されるのかを、紙に手書き原稿を描く時点で、確認しながら描くことができる画像合成装置、その制御方法およびプログラムを提供することを目的とする。
【課題を解決するための手段】
【００１０】
本発明は、参照画像が印刷されている参照画像領域と、上記参照画像と合成する手書き画像であってユーザが手書きすべき手書き画像を記入する手書き領域とを具備し、上記参照画像領域のサイズと上記手書き領域のサイズとがほぼ同一であり、また、上記参照画像領域の近傍に上記手書き領域を具備する原稿シートを印刷する原稿シート印刷手段と、上記手書き領域に記入されている手書き画像を読み取り、手書き画像データを出力する手書き画像読取手段と、上記参照画像領域に印刷されている参照画像に対応する写真画像データと、上記手書き画像読取手段が出力した手書き画像データとを合成する合成手段とを有する画像処理装置である。
【発明の効果】
【００１１】
本発明によれば、合成する相手の写真画像に対して、どのような位置関係で、手書き原稿が合成されるのかを、紙に手書き原稿を描く時点で、確認しながら描くことができるという効果を奏する。
【発明を実施するための最良の形態】
【００１２】
発明を実施するための最良の形態は、次の実施例である。
【実施例１】
【００１３】
図１は、本発明の実施例１である画像合成装置１００の構成を示すブロック図である。
【００１４】
画像合成装置１００は、ＣＰＵ２と、内部バス３と、プログラムメモリ４と、データメモリ５と、読取制御部６と、読取機構７と、データ変換部９と、印刷制御部１１と、印字印刷機構１２と、操作パネル１６と、メモリカード制御部１７と、インタフェース制御部１９と、インタフェース２０と、通信制御部２２とを有する。
【００１５】
データメモリ５は、読取バッファメモリ８と、印字バッファメモリ１０と、画像メモリ１３とを有する。操作パネル１６は、表示部１４と、操作部１５とを有する。
【００１６】
ＣＰＵ２は、マイクロプロセッサ形態を有し、内部バス３を介して接続されているＲＯＭ形態のプログラムメモリ４に格納されている制御プログラムと、ＲＡＭ形態のデータメモリ５の内容に応じて、動作する。ＣＰＵ２は、読取制御部６を介して、読取機構７を動作させ、読取機構７内に設けられている不図示のイメージセンサが読み取った原稿画像データを、データメモリ５中の読取バッファメモリ８に格納する。
【００１７】
読取バッファメモリ８に格納されている原稿画像データは、データ変換部９によって読み出され、印字印刷データに変換された後に、データメモリ５中の印字バッファメモリ１０に格納される。
【００１８】
ＣＰＵ２は、印刷制御部 １１を介して、印字印刷機構１２を動作させ、また、印字バッファメモリ１０に格納されている印字印刷データを読み出し、印字印刷機構１２に送り、印刷媒体へ印字印刷動作を行い、これによって、コピー動作を実現する。
【００１９】
データメモリ５には、画像メモリ１３が設けられ、読取機構７が読み取った原稿画像データの他に、各種の画像データを、一時的に記憶し、編集する。画像メモリ１３に記憶された画像データを、データ変換部９が印字印刷データに変換し、印字印刷動作を行うことによって、コピー動作以外にも、写真画像その他の印刷を行う。
【００２０】
なお、データメモリ５に設けられている読取バッファメモリ８、印字バッファメモリ１０、画像メモリ１３は、ＣＰＵ２の管理によって、動作モードやユーザ設定等、動作状況に応じて、各メモリの容量配分を動的に変更し、割り付けて動作する。
【００２１】
画像合成装置１００には、ＬＥＤ、ＬＣＤ等の表示部１４と、各種キー等の操作部１５とを有する操作パネル１６が設けられ、オペレータによる各種入力操作や動作状況の表示等を行う。
【００２２】
メモリカード制御部１７は、データ記憶媒体であるメモリカード１８へのアクセスを制御し、メモリカード１８に記憶されている画像データ等を読み書きする。これによって、メモリカード１８に記憶されている写真画像データを読み出し、画像メモリ１３に格納し、印字印刷データに変換し、印字印刷する。
【００２３】
インタフェース制御部１９は、インタフェース２０による通信を制御し、外部に接続されている外部装置２１との間で、データを送受信する。
【００２４】
外部装置２１は、パーソナルコンピュータを接続し、コンピュータ上で動作するプリンタドライバによって、作成された印字印刷データを受信し、印字印刷し、また、デジタルカメラ等の機器を接続し、写真画像データを読み出し、画像メモリ１３に格納し、印字印刷データに変換して印字印刷する。
【００２５】
通信制御部２２は、ＭＯＤＥＭ（変復調装置）や、ＮＣＵ（網制御装置）等によって構成され、アナログの通信回線２３に接続され、通信制御、通信回線に対する発呼、着呼等の回線制御を行う。
【００２６】
図２は、実施例１における原稿シートＳＨ１を示す図である。
【００２７】
原稿シートＳＨ１は、参照画像に対応する写真画像に、手書き画像を合成する場合に使用するシートであり、各種設定領域３０と、参照画像領域４０と、手書き領域５０と、バーコード６０とを有する。
【００２８】
各種設定領域３０には、印刷媒体サイズを選択する枠として、Ａ４を選択する枠３１と、はがきを選択する枠３２と、Ｌ判を選択する枠３３とが設けられている。Ａ４を選択する枠３１、はがきを選択する枠３２、Ｌ判を選択する枠３３のうちの１つを、ユーザが塗りつぶすことによって、合成結果を印刷すべき印刷媒体の印刷媒体サイズを選択する。
【００２９】
参照画像領域４０は、参照画像４１が印刷されている領域である。上記「参照画像」は、ユーザが選択した写真画像に対応する画像であり、写真画像そのものではなく、写真画像が印刷された画像である。
【００３０】
手書き領域５０は、参照画像４１と合成する手書き画像５１であってユーザが手書きすべき手書き画像を記入する手書き領域である。
【００３１】
また、参照画像領域４０のサイズと手書き領域５０のサイズとがほぼ同一であり、参照画像領域４０の形状と手書き領域５０の形状とがほぼ同一であり、また、参照画像領域４０の近傍に、手書き領域５０が設けられている。
【００３２】
読取制御部６、読取機構７、データメモリ５、印刷制御部 １１、印字印刷機構１２は、原稿シートＳＨ１を印刷する原稿シート印刷手段の例である。
【００３３】
さらに、図２中、参照画像４１が印刷されている参照画像領域４０の下には、参照画像４１と同じ大きさを有する手書き領域５０が設けられ、ユーザは、手書き領域５０に、手書き画像５１を任意の筆記具で描くことができる。
【００３４】
バーコード６０は、メモリカード１８に格納されている画像を特定するコードであり、たとえば、メモリカード１８に格納されている画像のファイル名である。
【００３５】
次に、実施例１において、画像合成装置１００のＣＰＵ２が原稿シートＳＨ１を印刷する処理動作について説明する。
【００３６】
図３は、実施例１において、画像合成装置１００のＣＰＵ２が原稿シートＳＨ１を印刷する処理動作を示すフローチャートである。
【００３７】
図３に示す処理は、操作パネル１６に表示されるメニューにおいてユーザが操作パネル１６を操作することによって、「原稿シート印刷」を選択した場合に実行される処理である。
【００３８】
まず、Ｓ１では、メモリカード１８内の写真画像データファイルを読み込み、表示部１４に表示する。Ｓ２で、操作部１５におけるキー操作を監視し、写真画像が選択されたかどうかをチェックする。写真画像が選択されると、Ｓ３では、選択された写真画像（参照画像４１）を、メモリカード１８から読み出し、各種設定領域３０に印刷するためのデータであって、プログラムメモリ４に予め記憶されているデータと、参照画像４１とを組み合わせ、原稿シートＳＨ１の印刷データを作成する。
【００３９】
Ｓ４では、この作成された印刷データに基づいて、印字印刷機構１２を制御することによって、原稿シートＳＨ１を印刷する。
【００４０】
次に、実施例１において、手書き画像が記入された原稿シートＳＨ１を読み込んで、参照画像４１と手書き画像５１とを合成して印刷する動作について説明する。
【００４１】
図４は、実施例１において、手書き画像が記入された原稿シートＳＨ１を読み込んで、参照画像４１と手書き画像５１とを合成して印刷する場合におけるＣＰＵ２の動作を示すフローチャートである。
【００４２】
図４に示す処理は、操作パネル１６に表示されているメニューにおいて、ユーザが「原稿シートを読込・合成印刷」を選択した場合に実行される処理である。
【００４３】
まず、Ｓ１１では、読取機構７を制御し、原稿シートＳＨ１を読み取る。Ｓ１２では、この読み取った原稿シートＳＨ１の画像データから、各種設定領域３０のデータを切出し、各種設定領域３０内の枠３１、３２、３３の塗りつぶし状態を解析することによって、選択された印刷媒体サイズに関する情報を取得する。
【００４４】
Ｓ１３では、読み取った原稿シートＳＨ１の画像データから、手書き領域５０の画像を切出し、手書き画像データとする。ここで、手書き領域５０を切り出す場合、たとえば、読み取り時に手書原稿シートＳＨ１の手書き領域５０を示す枠線を検出し、この検出された枠線内を切り出す。
【００４５】
Ｓ１４では、読み取った原稿シートＳＨ１上のバーコード６０を解析することによって、ユーザが選択した写真画像（参照画像４１）と同一の写真画像を、メモリカード１８から読み出す。バーコード６０は、たとえば、メモリカード１８に格納されている画像のファイル名である。Ｓ１３で切出した手書き画像データと合成し、合成画像データとする。
【００４６】
次に、Ｓ１５では、Ｓ１２で取得した印刷媒体サイズ選択情報に基づいて、合成画像データを拡大または縮小する処理を実行し、印字印刷機構１２を制御することによって、合成画像を出力印刷媒体に印刷する（Ｓ１６）。
【００４７】
図５は、実施例１における合成結果出力例７０を示す図である。
【００４８】
合成結果出力例７０は、図５に示すように、参照画像４１と、手書き領域５０に記入された手書き画像５１とを重ね合わせるように合成し、各種設定領域３０で選択された印刷媒体サイズに合うように拡大または縮小し、この拡大または縮小された合成データ（合成結果）が、印刷媒体７１に出力される。
【００４９】
実施例１によれば、ユーザは、原稿シートＳＨ１の手書き領域５０に手書き画像５１を描き込むときに、同一サイズで隣接して配置された参照画像４１を見ることができるので、参照画像４１に手書き画像５１を重ね合わせて合成したときにおける参照画像４１と、手書き画像５１との位置関係を把握しながら、手書き画像５１を描くことができる。
【００５０】
実施例１においては、参照画像４１と手書き領域５０とを、原稿シートＳＨ１上で縦方向に並べて配置しているが、参照画像４１と手書き領域５０とを、横方向に並べて配置するようにしてもよい。なお、実施例１において、参照画像４１のサイズと手書き領域５０のサイズとが同一でありかつ互いに隣接しているが、著しく位置関係が不明確にならない程度であれば、参照画像４１のサイズと手書き領域５０のサイズとが同一である必要はない。
【実施例２】
【００５１】
図６は、本発明の実施例２である原稿シートＳＨ２の構成を示す図である。
【００５２】
原稿シートＳＨ２は、各種設定領域３０ａと、参照画像領域４０と、手書き領域５０と、バーコード６０とを有する。
【００５３】
各種設定領域３０ａには、印刷媒体サイズを選択する枠として、Ａ４を選択する枠３１と、はがきを選択する枠３２と、Ｌ判を選択する枠３３とが設けられ、また、印刷レイアウトを選択する枠として、全面を選択する枠３４と、半面のみを選択する枠３５とが設けられている。
【００５４】
Ａ４を選択する枠３１、はがきを選択する枠３２、Ｌ判を選択する枠３３のうちの１つを、ユーザが塗りつぶすことによって、合成結果を印刷すべき印刷媒体の印刷媒体サイズを選択する。全面を選択する枠３４をユーザが塗りつぶす（全面レイアウトを選択する）ことによって、参照画像４１と手書き画像５１とを重ねて合成した画像を、印刷媒体７１の全面に印刷することを選択し、半面を選択する枠３５をユーザが塗りつぶす（半面レイアウトを選択する）ことによって、参照画像４１を、印刷媒体７１の半面に印刷し、手書き画像５１を、印刷媒体７１の残りの半面に印刷することを選択する。
【００５５】
図７は、実施例２において、ユーザが半面レイアウトを選択した場合における合成結果出力例を示す図である。
【００５６】
参照画像４１と手書き領域５０に描き込まれた手書き画像５１とを並べて、画像合成し（つまり、参照画像に対応する写真画像と、上記手書き画像とを突き合わせるように並べて合成し）、各種設定領域３０ａに塗りつぶされた印刷媒体サイズに応じて、上記合成画像が拡大または縮小され、また、レイアウト指定に応じたレイアウトで、上記合成された画像が印刷される。
【００５７】
なお、全面レイアウトを選択した場合における合成出力結果例は、実施例１における合成出力結果例７０と同じである。
【００５８】
実施例２によれば、図６に示すように、原稿シートＳＨ２に、参照画像４１と手書き領域５０とを配置しておくことによって、全面レイアウトを選択した場合、参照画像４１と手書き領域５０に記入された手書き画像５１とがそのまま重ね合わせるように合成され、また、半面レイアウトを選択した場合、原稿シートＳＨ２上の参照画像４１と手書き領域５０に記入された手書き画像５１とが、同じ位置関係で並べてレイアウトされるので、ユーザは、原稿シートＳＨ２の手書き領域５０に手書き画像５１を描き込むときに、参照画像４１に対してどのような合成結果になるのかを、直感的に把握することができる。
【００５９】
また、実施例２によれば、１枚の原稿シートＳＨ２で、全面レイアウトと半面レイアウトとの両方に対応することができる。
【００６０】
なお、実施例１は、元になる写真画像（参照画像４１）が横長のいわゆるランドスケープ画像であるが、写真画像（参照画像４１）が縦長のいわゆるポートレイト画像の場合には、参照画像４１が横倒しで印刷されるので、画像方向についても把握できるので、ユーザにとって便利である。
【実施例３】
【００６１】
図８は、本発明の実施例３である原稿シートＳＨ３を示す図である。
【００６２】
原稿シートＳＨ３は、各種設定領域３０ａと、参照画像領域４０ａと、手書き領域５０ａと、バーコード６０とを有する。
【００６３】
各種設定領域３０ａは、図６に示す各種設定領域３０ａと同じである。
【００６４】
参照画像領域４０ａには、参照画像４１が印刷され、この参照画像４１には、枠線４２と、目盛線４３と、格子線４４とが設けられている。
【００６５】
枠線４２は、参照画像領域４０aを囲む線であり、目盛線４３は、枠線４２の縦横それぞれの辺（枠線４２）を分割する線であり、格子線４４は、枠線４２の目盛線４３を含む格子状の線である。
【００６６】
手書き領域５０ａは、手書き画像５１がユーザによって記入される領域であり、手書き領域５０aには、枠線５２と、目盛線５３とが設けられている。
【００６７】
枠線５２は、手書き領域５１を囲む線であり、目盛線５３は、枠線５２の縦横それぞれの辺（枠線５２）を分割する線である。
【００６８】
枠線４２と５２とは、互いにほぼ同一形状であり、目盛線４３と５３とは、枠線のほぼ同一位置に設けられている。
【００６９】
印字印刷機構１２と印刷制御部 １１とは、原稿シート印刷手段の例であり、この原稿シート印刷手段は、参照画像４１に参照画像枠線４２を印刷し、手書き領域５０に手書き領域枠線５２を印刷し、参照画像枠線５２を分割する目盛線を印刷し、手書き領域枠線５２の位置であって、参照画像枠線４２における目盛線４３の位置とほぼ同一の位置に、目盛線５３を印刷する手段である。
【００７０】
また、上記原稿シート印刷手段は、参照画像枠線４２の目盛線４３を含む格子線を、参照画像４１に印刷する手段である。
【００７１】
実施例３によれば、原稿シートＳＨ３の手書き領域５０と参照画像４１に対して枠線、目盛線、格子線を付加するので、合成時の位置関係をさらに把握し易い。
【００７２】
なお、実施例３は、枠線４２と目盛線４３と格子線４４とが全て付加されているが、枠線４２または目盛線４３のみを付加するようにしてもよい。
【実施例４】
【００７３】
本発明の実施例４は、実施例１〜３のいずれかにおいて、参照画像４１の印刷濃度を下げて原稿シートを印刷する実施例である。
【００７４】
つまり、最終的に合成画像出力する場合には、メモリカード１８から読み出された画像を使用し、原稿シートに印刷する参照画像４１は、ユーザが手書き画像５１を記入するときにのみ使用される一時作業用であり、参照画像４１の濃度は、その出力には反映されない。そこで、参照画像４１の印刷濃度を下げて印刷し、手書き画像５１と参照画像４１との合成時における互いの位置関係を把握できさえすれば足り、印字印刷機構１２としてインクジェット印刷装置を用いた場合、インク消費を抑えることができる。
【００７５】
なお、合成結果を出力する場合、インク濃度を下げる代わりに、参照画像領域に印刷する参照画像を、少ない色数で印刷するようにしてもよく、または、モノクロ画像で印刷するようにしてもよい。つまり、合成結果を出力する場合、通常の印刷時とは異なる画質で印刷するようにしてもよい。なお、上記「画質」は、インク濃度、色数、モノクロ／カラーは勿論、解像度等、画像の質を変化させる要素である。
【実施例５】
【００７６】
本発明の実施例５は、実施例１〜４のいずれかの実施例において、メモリカード１８から写真画像データを入力する代わりに、原稿を読み取る読取手段と同一の読取手段を用いて、写真画像データを入力する実施例である。
【００７７】
また、原稿を読み取る読取手段と同一の読取手段を用いて、写真画像データを入力する代わりに、通信回線２３またはインタフェース２０を介して、外部の機器から、写真画像データを取得するようにしてもよい。
【００７８】
また、実施例１〜４において、合成した結果を、操作パネル１６の表示部１４に表示して確認するようにしてもよく、合成した結果を、メモリカード１８等の記憶媒体に書き込み保存するようにしてもよく、また通信回線２３またはインタフェース２０を介して他の機器に、合成された画像データを転送するようにしてもよい。このようにすれば、他の機器において、上記合成後の画像を編集することができる。
【図面の簡単な説明】
【００７９】
【図１】本発明の実施例１である画像合成装置１００の構成を示すブロック図である。
【図２】実施例１における原稿シートＳＨ１を示す図である。
【図３】実施例１において、画像合成装置１００のＣＰＵ２が原稿シートＳＨ１を印刷する処理動作を示すフローチャートである。
【図４】実施例１において、手書き画像が記入された原稿シートＳＨ１を読み込んで、参照画像４１と手書き画像５１とを合成して印刷する場合におけるＣＰＵ２の動作を示すフローチャートである。
【図５】実施例１における合成結果出力例７０を示す図である。
【図６】本発明の実施例２である原稿シートＳＨ２の構成を示す図である。
【図７】実施例２において、ユーザが半面レイアウトを選択した場合における合成結果出力例を示す図である。
【図８】本発明の実施例３である原稿シートＳＨ３を示す図である。
【符号の説明】
【００８０】
１００…画像合成装置、
ＳＨ１、ＳＨ２、ＳＨ３…原稿シート、
３０、３０ａ…各種設定領域、
４０、４０ａ…参照画像領域、
４１…参照画像、
４２…枠線、
４３…目盛線、
４４…格子線、
５０、５０ａ…手書き領域、
５１…手書き画像、
５２…枠線、
５３…目盛線、
６０…バーコード、
７０、８０…合成結果出力例。
【図１】
2006352794.tif 000003
【図２】
2006352794.tif 000004
【図３】
2006352794.tif 000005
【図４】
2006352794.tif 000006
【図５】
2006352794.tif 000007
【図６】
2006352794.tif 000008
【図７】
2006352794.tif 000009
【図８】
2006352794.tif 000010